(57)【要約】  ヘッドフォン用ヘッドバンドであって、ヘッドバンドは、ヘッドフォンをユーザの頭の上に支持するようユーザの頭に被せることができる主バンドと、主バンドに取り付けられた副バンドとを有し、副バンドは、ヘッドフォンをユーザの頭の上に一層支持するよう主バンドに対して１つまたは２つ以上の割送り位置に回転可能であることを特徴とするヘッドバンド。【選択図】図１
2017539171.tif 000002
【特許請求の範囲】
【請求項１】
ヘッドフォン用ヘッドバンドであって、前記ヘッドバンドは、
前記ヘッドフォンをユーザの頭の上に支持するよう前記ユーザの頭に被せることができる主バンドと、
前記主バンドに取り付けられた副バンドとを有し、前記副バンドは、前記ヘッドフォンを前記ユーザの頭の上に一層支持するよう前記主バンドに対して１つまたは２つ以上の割送り位置に回転可能である、ヘッドバンド。
【請求項２】
前記副バンドは、最後の割送り位置を除き各割送り位置から次の割送り位置に弾性的に付勢されている、請求項１記載のヘッドバンド。
【請求項３】
前記副バンドは、第１の割送り位置から第２の割送り位置に弾性的に付勢されている、請求項１記載のヘッドバンド。
【請求項４】
前記副バンドは、前記第１の割送り位置では前記主バンドと整列し、前記副バンドは、前記第２の割送り位置では前記主バンドから３５°後方に回される、請求項３記載のヘッドバンド。
【請求項５】
前記副バンドは、前記副バンドのロック解除により前記弾性付勢力が前記副バンドを前記次の割送り位置に自動的に動かすことができるように前記副バンドが付勢される起点となる前記割送り位置のうちの１つまたは２つ以上のところに解除可能にロックされる、請求項２〜４のうちいずれか一に記載のヘッドバンド。
【請求項６】
前記副バンドは、ばねロック機構体によって解除可能にロックされる、請求項５記載のヘッドバンド。
【請求項７】
前記副バンドをロック解除するための解除ボタンを有する、請求項５または６記載のヘッドバンド。
【請求項８】
前記副バンドは、捩じりばねによって弾性的に付勢されている、請求項２〜７のうちいずれか一に記載のヘッドバンド。
【請求項９】
前記主バンドは、前記副バンドがしまい込み時に前記主バンドと面を同じにして位置するよう前記副バンドをしまい込むための相補形凹部を有する、請求項１〜８のうちいずれか一に記載のヘッドバンド。
【請求項１０】
前記主バンドおよび前記副バンドのうちの一方または両方は、調節可能な長さを有する、請求項１〜９のうちいずれか一に記載のヘッドバンド。
【請求項１１】
前記ヘッドバンドを装用した前記ユーザの視認性を高めるよう１つまたは２つ以上の灯、１つまたは２つ以上の反射部分、または前記灯と前記反射部分の組み合わせを有する、請求項１〜１０のうちいずれか一に記載のヘッドバンド。
【請求項１２】
前記主バンドおよび前記副バンドのうちの一方または両方は、剛性スパインを覆う軟質材料で作られている、請求項１〜１１のうちいずれか一に記載のヘッドバンド。
【請求項１３】
請求項１〜１２のうちいずれか一に記載のヘッドバンドと、前記主バンドの一端のところに取り付けられたイヤースピーカまたは各々が前記主バンドの各端のところにそれぞれ取り付けられた２つのイヤースピーカとを有する、ヘッドフォン。
【請求項１４】
前記ヘッドバンドを装用した前記ユーザの視認性を高めるよう１つまたは２つ以上の灯、１つまたは２つ以上の反射部分、または前記灯と前記反射部分の組み合わせを有する、請求項１３記載のヘッドフォン。
【請求項１５】
一方または両方のイヤースピーカは、一方または両方のイヤースピーカによってプレーバックされているオーディオトラックの１つまたは２つ以上の特性を改変して周囲の音の増大したレベルが前記ユーザによって聞こえることができるようにする安全サウンドモードを有し、前記ヘッドフォンは、前記安全サウンドモードを作動させるよう前記ユーザによって操作可能な安全サウンドスイッチを備えている、請求項１３または１４記載のヘッドフォン。
【請求項１６】
前記１つまたは２つ以上の特性は、出力サウンドレベルであり、前記安全サウンドモードでは、前記出力サウンドレベルは、小さくされる、請求項１５記載のヘッドフォン。
【発明の詳細な説明】
【技術分野】
【０００１】
本発明は、ヘッドバンドに関し、本発明を主としてヘッドフォンにおける使用に関して説明するが、本発明は、この特定の用途には限定されない。
【背景技術】
【０００２】
ヘッドフォンは、典型的には、ユーザの頭に被さるヘッドバンドを有する。ヘッドバンドの一方の端または両方の端のところには、イヤースピーカが設けられている。イヤースピーカは、種々の形式のものである場合があり、かかる形式としては、耳載せ型イヤースピーカ（オンイヤー型またはイヤーパッド型イヤースピーカ）およびサーカムオーラル型スピーカ（オーバーイヤー型またはイヤーカップ型イヤースピーカ）がある。ヘッドバンドは、イヤースピーカがユーザの耳に付けて配置された状態でユーザの頭の頂上に載ることによってヘッドフォンを定位置に保つ。一般に、ヘッドバンドは、イヤースピーカをユーザの耳またはユーザの頭の側部上に弾性的に付勢し、それによりイヤースピーカをユーザの頭にクランプする。特に、ヘッドパッドは、通常、弾性材料で作られ、ユーザの頭の上に装着されていない場合、イヤースピーカ相互間の距離は、典型的なユーザの耳相互間の距離よりも短い。かくして、イヤースピーカを引き離してヘッドバンドの弾性材料を撓ませることによってこれらイヤースピーカをユーザの耳に当てて装着すると、これにより、ヘッドバンドに弾性付勢力が生じ、この弾性付勢力は、イヤースピーカをユーザの耳またはユーザの頭の側部にクランプさせる。ある範囲の頭のサイズおよび形状に対する良好な適合を可能にするため、先行技術のヘッドバンドは、ヘッドバンドの長さが変えられるよう調節可能である。イヤースピーカの位置および角度もまた、ヘッドバンドに設けられている継手またはジョイントによって調節可能である。
【０００３】
しかしながら、これら先行技術のヘッドバンドを備えたヘッドフォンは、ある特定の使用状況において依然として不安定である。例えば、ユーザがジョギングをしながら、運動をしながら、スポーツをしながら、ダンスをしながら、ディスクジョッキーをしながら、あるいは他の活発な身体的活動に関わりながらヘッドフォンを装用している場合、先行技術のヘッドバンドは、ヘッドフォンをユーザの頭に対して固定された位置に維持するのに十分な安定性をもたらしていない。かかる活動中におけるユーザの体または頭の運動により、耳に対するイヤースピーカの動きが生じる場合がありまたはそれどころかユーザの頭からヘッドフォンが外れる場合がある。これは、ユーザの頭が非直立位置に動かされたとき、例えば、読書をしているときまたはかがんだときにも生じる場合がある。
【０００４】
これらの問題に取り組むため、先行技術のヘッドバンドの中には、これらヘッドバンドがユーザの頭に被せられたときにおける弾性付勢力を増大させてイヤースピーカがユーザの頭に強くクランプされるようにするように設計されたものがある。しかしながら、これにより、特に長期間にわたってかかるヘッドフォンを装用したときの快適性が低下する。
【０００５】
先行技術のヘッドバンドの中には、ユーザの頭に接触するヘッドバンドの表面積を増大させ、それにより安定性を高めたものもある。しかしながら、改良度が極めて僅かであり、かかるヘッドバンドは、ヘッドフォンの嵩と重量を増大させ、それにより快適性および使い勝手が悪くなる。
【０００６】
先行技術のヘッドバンドの１つは、分割型ヘッドバンドであり、このヘッドバンドの第１の部分と第２の部分は、単純な滑りピボット継手によって互いに回転可能に取り付けられている。滑りピボット継手は、互いに対して摺動的に回転する対応の部材を有し、その結果、第１の位置と第２の位置を互いに対して手動でかつ連続的に回すことができるようになっている。このようにして、ユーザは、第１および第２の部分の所望の相対位置を設定することができる。しかしながら、このヘッドバンドがユーザの頭に取り付けられると、ユーザの頭の上に載っけられると、ユーザの頭の動きまたはヘッドフォンのバンピングにより、第１の部分と第２の部分は、互いに回ってユーザによって先に設定された相対位置から離脱する場合がある。
【０００７】
別の先行技術のヘッドバンドは、第１の部分と第２の部分に同様に分割されている。しかしながら、第１の部分と第２の部分は、この場合もまた、互いに弾性的に付勢されている。ユーザがこれら第１および第２の部分を回してこれらを互いに離すことによってこれら部分の相対位置を設定し、次に、ヘッドバンドをユーザの頭の上に載せる。ユーザの頭とヘッドバンド部分との間に働く摩擦力がこれらの部分をユーザによって設定された相対位置のところに離した状態に保つ。しかしながら、ヘッドバンドを持ち上げてユーザの頭からいったん離してユーザの頭とこれら部分との間にもはや摩擦力が存在しないようになると、弾性付勢力がこれらの部分をスナップ動作させ、これら部分はくっついた元の状態に戻る。この先行技術のヘッドバンドは、このヘッドバンドがユーザの頭に装着されると、ユーザの頭の動きまたはヘッドフォンのぶつかりによって第１の部分と第２の部分が互いに向かって回り、ユーザによってあらかじめ設定された相対位置から外れる場合がある。弾性付勢力によって生じるこれら第１の部分と第２の部分のスナップ動作によるくっつきがユーザの髪の毛を掴む傾向があり、それにより不快感およびいらだちが生じる。
【発明の概要】
【発明が解決しようとする課題】
【０００８】
本発明の目的は、先行技術の欠点のうちの少なくとも１つを解決しもしくは改善し、または有用な代替策を提供することにある。
【課題を解決するための手段】
【０００９】
本発明は、一観点において、ヘッドフォン用ヘッドバンドであって、ヘッドバンドは、
ヘッドフォンをユーザの頭の上に支持するようユーザの頭に被せることができる主バンドと、
主バンドに取り付けられた副バンドとを有し、副バンドは、ヘッドフォンをユーザの頭の上に一層支持するよう主バンドに対して１つまたは２つ以上の割送り位置に回転可能であることを特徴とするヘッドバンドを提供する。
【００１０】
一実施形態では、副バンドは、最後の割送り位置を除き各割送り位置から次の割送り位置に弾性的に付勢されている。
【００１１】
別の実施形態では、副バンドは、第１の割送り位置から第２の割送り位置に弾性的に付勢されている。一実施形態では、副バンドは、第１の割送り位置では主バンドと整列し、副バンドは、第２の割送り位置では主バンドから３５°後方に回される。
【００１２】
一実施形態では、副バンドは、副バンドのロック解除により弾性付勢力が副バンドを次の割送り位置に自動的に動かすことができるように副バンドが付勢される起点となる割送り位置のうちの１つまたは２つ以上のところに解除可能にロックされる。一実施形態では、副バンドは、ばねロック機構体によって解除可能にロックされる。一実施形態では、ヘッドバンドは、副バンドをロック解除するための解除ボタンを有する。
【００１３】
一実施形態では、副バンドは、捩じりばねによって弾性的に付勢されている。
【００１４】
一実施形態では、主バンドは、副バンドがしまい込み時に主バンドと面を同じにして位置するよう副バンドをしまい込むための相補形凹部を有する。
【００１５】
一実施形態では、主バンドおよび副バンドのうちの一方または両方は、調節可能な長さを有する。
【００１６】
一実施形態では、ヘッドバンドは、ヘッドバンドを装用したユーザの視認性を高めるよう１つまたは２つ以上の灯、１つまたは２つ以上の反射部分、または灯と反射部分の組み合わせを有する。
【００１７】
一実施形態では、主バンドおよび副バンドのうちの一方または両方は、剛性スパインを覆う軟質材料で作られている。
【００１８】
第２の観点では、本発明は、上述のヘッドバンドと、主バンドの一端のところに取り付けられたイヤースピーカまたは各々が主バンドの各端のところにそれぞれ取り付けられた２つのイヤースピーカとを有することを特徴とするヘッドフォンを提供する。
【００１９】
一実施形態では、ヘッドフォンは、ヘッドバンドを装用したユーザの視認性を高めるよう１つまたは２つ以上の灯、１つまたは２つ以上の反射部分、または灯と反射部分の組み合わせを有する。
【００２０】
一実施形態では、一方または両方のイヤースピーカは、一方または両方のイヤースピーカによってプレーバックされているオーディオトラックの１つまたは２つ以上の特性を改変して周囲の音の増大したレベルがユーザによって聞こえることができるようにする安全サウンドモードを有し、ヘッドフォンは、安全サウンドモードを作動させるようユーザによって操作可能な安全サウンドスイッチを備える。一実施形態では、１つまたは２つ以上の特性は、出力サウンドレベルであり、安全サウンドモードでは、出力サウンドレベルは、小さくされる。
【００２１】
特許請求の範囲を含む原文明細書全体を通じて、“comprise”（訳文では、「〜を有する」としている場合が多い）、“comprising”などの用語は、包括的な意味で、すなわち、“including, but not limited to”（「〜を含むが、〜には限定されない」）の意味に解されるべきであり、別段の明示の指定がなければまたは文脈上、別段の明示の要求がなければ、排他的なまたは網羅的な意味で解されるべきではない。
【００２２】
次に、添付の図を参照して本発明の最適対応による好ましい実施形態を説明するが、これは例示に過ぎず、図中、同一の参照符号は、別段の指定がなければ、図全体を通じて同一の部分を示している。
【図面の簡単な説明】
【００２３】
【図１】本発明の実施形態としてのヘッドフォンの斜視図である。
【図２】図１のヘッドフォンの正面図である。
【図３】図１のヘッドフォンの背面図である。
【図４】図１のヘッドフォンの平面図である。
【図５】図１のヘッドフォンの底面図である。
【図６】図１のヘッドフォンの左側面図である。
【図７】図１のヘッドフォンの右側面図である。
【図８】図１のヘッドフォンの斜視図であり、副バンドが主バンドの後方の割送り位置に回されている状態を示す図である。
【図９】図８のヘッドフォンの左側面図である。
【図１０】図１のヘッドフォンの斜視図であり、副バンドが主バンドの後方の割送り位置に回され、副バンドもまた伸長されている状態を示す図である。
【図１１】図１０のヘッドフォンの左側面図である。
【図１２】本発明の実施形態としてのヘッドバンドの捩じりばねロック機構体の分解組立て図である。
【発明を実施するための形態】
【００２４】
図を参照すると、ヘッドフォン５０用のヘッドバンド１０が提供されている。ヘッドバンド１０は、ヘッドフォン５０をユーザの頭の上に支持するようユーザの頭に被せることができる主バンド１１を有する。副バンド１２が主バンド１１に取り付けられており、この副バンドは、ヘッドフォン５０をユーザの頭の上に一層支持するよう１つまたは２つ以上の割送り位置へ主バンドに対して回転可能である。
【００２５】
「割送り」位置は、主バンドと副バンドの個別の係合によって定められる位置であることは理解されるべきである。例えば、割送り位置を副バンドが主バンドに対して回されているときの回転経路に沿ってところどころに配置された別々の停止部、戻り止め、またはクリックによって定めることができる。構造的には、これら別々の停止部、戻り止め、またはクリックは、例えば当接部分、および相補形凹部中に嵌まり込む突出部で形成されるのが良い。後者の例では、突出部は、これら突出部が相補形凹部上をいったん動くと、これら突出部が相補形凹部内の定位置に自動的に動くように弾性的に付勢されているのが良い。いずれの場合においても、各割送り位置を定める個別の係合は、主バンドと副バンドがある大きさの力を受けて互いに対して回っている間、主バンドと副バンドを互いに対してそれ以上回すには追加の大きさの力またはロック解除行為が必要であることを意味している。
【００２６】
副バンド１２は、最後の割送り位置を除き各割送り位置から次の割送り位置に弾性的に付勢されるのが良い。図示の実施形態では、副バンド１２は、第１の割送り位置から第２の割送り位置に弾性的に付勢されている。副バンド１２は、第１の割送り位置では主バンド１１と整列し、副バンドは、第２の割送り位置では主バンドから後方に３５°回されている。副バンドを主バンドから後方に３５°のところに設けると、ユーザがスポーツ、身体運動、およびダンスを含む運動を伴う活動に関わっているときにヘッドフォンに対して予想外のレベルの安定性がもたらされるということが判明した。
【００２７】
副バンド１２は、副バンドのロック解除により弾性付勢力が副バンドを次の割送り位置に自動的に動かすことができるように副バンドが付勢される起点となる割送り位置のうちの１つまたは２つ以上のところに解除可能にロックされる。図１２に最も良く示されているように、副バンドは、ばねロック機構体１３によって解除可能にロックされている。図示の例では、副バンドは、捩じりばね１４によって弾性的に付勢されている。したがって、ばねロック機構体１３は、捩じりばねロック機構体である。これにより、ばねロック機構体１３は、比較的コンパクトなものとなることができる。図示の実施形態では、捩じりばねロック機構体１３は、主バンド１１と副バンド１２との間に設けられたピボット継手１５に組み込まれている。具体的に説明すると、ピボット継手１５は、副バンド１２の端のところに設けられた副ピボット部材１６によって形成され、副ピボット部材１６は、主バンド１１の対応の端に隣接した場所で相補形主ピボット部材１７に連結されている。
【００２８】
ヘッドバンド１０は、副バンドをロック解除するための解除ボタン１８を更に有する。解除ボタン１８は、ピボット継手１５の容易に接近可能な外面上に配置されている。これにより、ヘッドバンドがユーザの頭の上の適所に依然として位置している間、感覚によって解除ボタンに容易に接近できるので、ユーザによる好都合な作動が可能であり、この場合、ユーザは、解除ボタンを見る必要はなくまたはヘッドバンド１０を脱ぐように外して解除ボタンのありかを突き止める必要はない。
【００２９】
主バンド１１は、しまい込み時に副バンド１２が主バンドと面を同じにして位置するよう副バンドをしまい込むための相補形凹部１９を有する。この結果、副バンド１２がしまい込まれたときにコンパクトな形態およびはっきりとした線が得られる。具体的に言えば、それにより、ヘッドバンド１０は、副バンド１２がしまい込まれたときに先行技術の単一バンド形ヘッドバンドに似ることができる。図示の実施例では、相補形凹部１９は、副バンド１２の形状に酷似した主バンド１１の下面に設けられている切欠きである。
【００３０】
主バンド１１と副バンド１２のうちの一方またはこれら両方は、調節可能な長さを有する。図示の実施形態では、副バンド１２は、ベース部分２１上に装着されたスリーブ付き部分２０を有する。ベース部分２１は、２つのセグメントから成り、一方のセグメントは、ピボット継手１５から突き出、他方のセグメントは、副バンド１２の別の端を主バンド１１の対応の端に隣接した場所で主バンド１１に連結している別のピボット継手２２から突き出ている。スリーブ付き部分２０は、ベース部分２１に沿って摺動可能であり、それにより、副バンド１２を長くすることができる。副バンド１２が主バンド１１の下にしまい込まれ、かかるしまい込みを可能にするよう副バンドに長さの減少分が設けられている実施形態では、副バンド１２をこのように長くすることは、副バンドがしまい込まれず、そうではなくて展開されているときにこの長さの減少分を補償することができる。
【００３１】
副バンド１２が主バンド１１の下にしまい込まれると、キャッチが副バンドを保持し、それによりこれを定位置にロックする。これにより、第１の割送り位置を特徴付ける個別の係合状態が定められる。この第１の割送り位置では、捩じりばね１４は、捩じりばねの通常の弛緩形態よりもきつく巻かれている。したがって、捩じりばね１４は、キャッチによってこのきつい形態に保持され、副バンド１２を弾性的に付勢してこれを主バンド１１から遠ざける。
【００３２】
解除ボタン１８を押すと、副バンド１２がキャッチから外れ、捩じりばね１４の弾性付勢力が副バンド１２を自動的に回してこれを主バンド１１から遠ざける。主ピボット部材１７は、当接面を有し、副ピボット部材１６は、停止面を有する。副バンド１２を回して主バンド１１から遠ざけることにより、停止面は、当接面に向かって動く。停止面が当接面に達してこれと衝合すると、副バンド１２の回転が止まる。これは、第２の割送り位置を特徴付ける個別の係合状態を定める。停止面および当接面は、第２の割送り位置が副バンド１２を主バンド１１から後方に３５°回した場所であるように位置決めされるとともに構成される。副バンド１２を第２の割送り位置に向かっていったん解除すると、スリーブ付き部分２０をベース部分２１に沿って上方に引くと図１０および図１１に最も良く示されているように副バンドを長くすることができる。
【００３３】
副バンド１２を主バンド１１の下にしまい込んで戻すため、ユーザは、副バンド１２を回してこれを第１の割送り位置に向かって戻す。これにより、捩じりばねの弾性付勢力に抗して捩じりばね１４が巻かれ、それにより副バンド１２を主バンド１１から押し離す弾性付勢力がばねに生じる。副バンド１２を回し、したがって、捩じりばねは、巻かれ続け、ついには、副バンドが第１の割送り位置、すなわち、副バンド１１の下のしまい込み位置に達するようになる。すると、キャッチは、副バンド１２を主バンド１１の下の第１の割送り位置において定位置に保持し、ついには、この次に、ユーザは、解除ボタン１８を作動させる。
【００３４】
主バンド１１および副バンド１２は、ユーザの頭の形状を模倣するよう弧状である。主バンドおよび副バンドのうちの一方またはこれら両方は、剛性スパインを覆う軟質材料で作られている。
【００３５】
ヘッドバンド１０は、１つまたは２つ以上の灯２３、１つまたは２つ以上の反射部分、またはヘッドバンドを装用しているユーザの視認性を高めるようこれら両方の組み合わせを有する。灯２３は、光センサを含む回路によって動作可能であり、したがって、灯は、光センサによって検出されたしきい光レベルに応じて自動的にオンまたはオフに切り替わるようになっている。代替例としてまたは組み合わせ例として、回路は、光センサによって検出された光レベルに基づいて光の輝度を増減しても良い。灯はまた、ユーザの選択に基づきまたは自動的に１つまたは２つ以上の形式の１つまたは２つ以上のセンサによるある特定のパラメータまたは測定値に応じて、点滅しまたは色を変えるよう構成されていても良い。
【００３６】
ヘッドフォン５０は、上述の実施形態のうちの１つのヘッドバンド１０を有する。図示の実施形態では、ヘッドフォン５０は、２つのイヤースピーカ５１を有し、各イヤースピーカは、主バンド１１の各端のところにそれぞれ取り付けられている。他の実施形態では、ヘッドフォンは、主バンド１１の一端に取り付けられたイヤースピーカ５１を１つだけ有する。ヘッドフォン５０は、近位端が主バンド１１の一端に連結された調節可能なブームの遠位端に取り付けられるのが良いマイクロフォンを含むのが良い。
【００３７】
ヘッドバンド１０に取り付けられるのではなく、１つまたは２つ以上の灯、１つまたは２つ以上の反射部分、またはこれら両方の組み合わせがヘッドフォンを装用しているユーザの視認性を高めるようヘッドフォン５０の他の部分に設けられても良い。
【００３８】
一方または両方イヤースピーカ５１は、一方または両方のイヤースピーカによってプレーバックされているオーディオトラックの１つまたは２つ以上の特性を改変して周囲の音の増大したレベルがユーザによって聞こえることができるようにする安全サウンドモードを有する。ヘッドフォン５０は、安全サウンドモードを作動させるようユーザによって操作可能な安全サウンドスイッチを備えている。一実施形態では、１つまたは２つ以上の特性は、出力サウンドレベルであり、安全サウンドモードでは、出力サウンドレベルは、小さくなる。これにより、ユーザの安全性が高められる。例えば、ユーザは、イヤースピーカを安全サウンドモードの状態にすることができ、この安全サウンドモードは、ユーザが道路を横切ろうとしているときに出力サウンドレベルが減少することによって特徴付けられる。このようにして、周囲の音の増大したレベルがユーザによって聞こえ、それにより、ユーザは、交通騒音に効果的に気がついてやって来る車両を確認することができる。
【００３９】
ヘッドフォン５０のヘッドバンド１０または他の部分は、ヘッドフォンの他の機能の実行を容易にする他のボタンおよび接続ポートを有するのが良い。例えば、ヘッドバンド１０は、プレーバックをターンオンしまたはターンオフするプレーボタン２４を有するのが良い。図示の実施形態では、プレーボタン２４は、イヤースピーカ５１のうちの一方に隣接して位置するヘッドバンドの下側下面に設けられている大きな容易に接近できるボタンである。ヘッドバンド１０は、充電のためのプラグを受け入れる充電ポート２５およびヘッドフォン５０によって再生されるべき媒体を記憶するメモリカードを受け入れるメモリカードポート２６を更に有するのが良い。
【００４０】
理解されるように、上述の実施形態は、本発明の原理を説明するために採用された例示の実施形態であるに過ぎず、本発明は、これら実施形態には全く限定されない。種々の変形例および改造例を本発明の精神および本質から逸脱しないで、当業者によって想到でき、これら変形例および改造例はまた、本発明の範囲に含まれる。したがって、特定の実施例を参照して本発明を説明したが、当業者であれば、本発明は、他の多くの形態で実施できることが理解されよう。また、当業者であれば、説明した種々の実施例の特徴を他の組み合わせの状態に組み合わせることができることもまた、理解されよう。
【図１】
2017539171.tif 000003
【図２】
2017539171.tif 000004
【図３】
2017539171.tif 000005
【図４】
2017539171.tif 000006
【図５】
2017539171.tif 000007
【図６】
2017539171.tif 000008
【図７】
2017539171.tif 000009
【図８】
2017539171.tif 000010
【図９】
2017539171.tif 000011
【図１０】
2017539171.tif 000012
【図１１】
2017539171.tif 000013
【図１２】
2017539171.tif 000014
【国際調査報告】
2017539171.tif 000015
2017539171.tif 000016
2017539171.tif 000017
2017539171.tif 000018